(57)【要約】      （修正有）【課題】引き手本体が、戸板や引出しの前方板に貼り付くや嵌入することにより、安全状態が形成されるため、幼い子供が、好奇心により、箪笥や引出しを開くことができなくなり、より良い使用安全性が得られる安全引き手構造を提供する。【解決手段】引き手本体１やケーシング体２、底カバー３、制御部材４及び弾性部材５が備えられ、ケーシング体が、円管状で、周縁に、Ｌ形状の摺動槽が形成され、底カバーが、封止するように、ケーシング体の裏端に設置され、制御部材が、摺動的に、ケーシング体内に設置され、先端が、引き手本体に結合され、裏端において、摺動的に、外へ向かう凸部が、ケーシング体のＬ形状の摺動槽内に設置され、弾性部材が、制御部材と底カバーとの間において、附勢するように、実装される。【選択図】図１
0003185133.tif 000002
【実用新案登録請求の範囲】
【請求項１】
外側面と内側面があり、上記内側面に、連接柱が形成される引き手本体と、
円管状で、先端と裏端があり、周縁に、Ｌ形状の摺動槽が形成されるケーシング体と、
ケーシング体の裏端を封止するために設置される底カバーと、
摺動的にケーシング体内に設置され、先端と裏端があり、上記先端が、ケーシング体先端を通して、引き手本体の連接柱に結合され、上記裏端において、外へ向かう凸部が、摺動的にケーシング体のＬ形状の摺動槽に設置される制御部材と、
制御部材と底カバーとの間に実装され、制御部材が、常に弾性部材によって引き手本体へ向かって附勢される弾性部材と、
が含有される、
ことを特徴とする安全引き手構造。
【請求項２】
上記引き手本体の外側面に、取持ち不能面が形成され、上記取持ち不能面において、周縁と内側面との連接箇所に、平坦面端縁が形成され、上記ケーシング体のＬ形状の摺動槽に、軸方向段と径方向段が形成され、上記ケーシング体のＬ形状の摺動槽の径方向段に、欠け口が形成され、上記底カバーが、ケーシング体の裏端に結合されるが、一体成型され、上記底カバーにより、安全引き手全体が、戸板や引出しの前方板に設置され、引き手本体の平坦面の端縁が、前方板の表面に貼り付くため、安全状態になり、回転することにより、引き手本体が、前方へ所定の距離に弾きだされ、上記引き手本体で、開くことができる、ことを特徴とする請求項１に記載の安全引き手構造。
【請求項３】
上記引き手本体が、短円柱状で、上記引き手本体の外側面に、引き回し凹部が形成され、上記ケーシング体のＬ形状の摺動槽に、軸方向段と径方向段とがあり、上記ケーシング体のＬ形状の摺動槽の径方向段に、欠け口が形成され、上記底カバーが、ケーシング体の裏端に、結合されるか、一体成型され、上記底カバーにより、安全引き手全体が、戸板や引出しの前方板に予めに形成された実装槽に、実装され、また、上記前方板に対応して、上記実装槽に、嵌合槽が形成され、引き手本体が、戸板や引出し前方板の嵌合槽に嵌入されることにより、安全状態になり、また、回転することにより、引き手本体が、前方へ所定の距離に弾き出され、上記引き手本体で、開くことができることを特徴とする請求項１に記載の安全引き手構造。
【考案の詳細な説明】
【技術分野】
【０００１】
本考案は、引き手構造に関し、特に、箪笥や引出しの前方板にある安全引き手構造に適用できるものに関する。
【背景技術】
【０００２】
箪笥や引出し等に使用された引き手は、一般として、平面式や突出式の二種類の構造であり、平面式引き手の場合、戸板や引出しの前方板に、適当な大きさを有する凹槽が形成され、上記凹槽に、ユーザーの指先を突入して、引いて開くようになり、もう一つの突出状引き手の場合、引き手を、直接に、戸板や引出しの前方板に設置して、引き手が、板体の表面から突出して定位され、直接に上記引き手を取り付いて開くことができる。
【０００３】
しかしながら、平面式や突出式の引き手であっても、直接に、取り付いて開くことになり、幼い子供でも、簡単に開くことができ、そのため、幼い子供は、好奇心により、箪笥や引出しを開くことにより、それによって挟まれて傷つくし、箪笥や引出しに収納された危険なものが出され、箪笥や引出しに収納されて整理された品物が乱される恐れがあり、また、平面式引き手であれば、操作便利性が良くなく、滑りやすい欠点があり、突出式引き手であれば、空間を占用する問題点があって、人の移動に邪魔することやものを引っ掛かることの可能性がある。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、引き手本体が、戸板や引出しの前方板に貼り付くや嵌入することにより、安全状態が形成されるため、幼い子供が、好奇心により、箪笥や引出しを開くことできなくなり、より良い使用安全性が得られる安全引き手構造を、提供する。
【０００６】
本考案の他の目的は、引き手本体を、戸板や引出しの前方板に貼り付くや嵌入することにより、人の移動に邪魔することやものを引っ掛かることを防止でき、また、簡単に引き手本体を利用して、開くことができ、より実用的な安全引き手構造を、提供する。
【課題を解決するための手段】
【０００７】
本考案に係る安全引き手構造は、引き手本体やケーシング体、底カバー、制御部材及び弾性部材が備えられ、上記引き手本体の内面に、連接柱が形成され、上記ケーシング体が、円管状で、先端と裏端があり、周縁に、Ｌ形状の摺動槽が形成され、上記底カバーが、封止するように、ケーシング体の裏端に設置され、本考案によれば、上記底カバーにより、安全引き手全体が、戸板や引出しの前方板に固定され、上記制御部材が、摺動的にケーシング体内に設置され、先端と裏端を有し、上記先端が、引き手本体の連接柱に結合され、上記裏端において、外へ突出して、摺動的にケーシング体のＬ形状の摺動槽に設置された凸部があり、上記弾性部材が、制御部材と底カバーとの間に実装され、制御部材が、常に弾性部材によって引き手本体へ向かって附勢され、これにより、引き手本体が、戸板や引出しの前方板に貼り付くや嵌入して、安全状態が形成され、また、回転すうことにより、引き手本体が、前方へ所定の距離に弾き出され、便利に上記引き手本体で開くことが実現される。    
【０００８】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００９】
図１乃至図４を参照しながら、本考案に係る安全引き手構造は、引き手本体１とケーシング体２、底カバー３、制御部材４及び弾性部材５が備えられ、上記引き手本体１に、外側面１Ａと内側面１Ｂがあり、上記外側面１Ａに、取持ち不能面１１が形成され、上記取持ち不能面１１の周縁と内側面１Ｂとの連接箇所に、平坦面端縁１２が形成され、上記内側面１Ｂに、雄ネジ１３１を有する連接柱１３が形成され、上記取持ち不能面１１に、凹凸部や図柄が形成されても良く、上記ケーシング体２が、円管状で、先端２１と裏端２２があり、周縁に、Ｌ形状の摺動槽２３が形成され、上記Ｌ形状の摺動槽２３に、軸方向段２３１と径方向段２３２があり、上記径方向段２３２に、欠け口２３２１が形成され、上記底カバー３が、封止するように、ケーシング体２の裏端に結合されるか、一体成型され、上記底カバー３に、雌ネジ３１１を有する固定穴３１が形成され、上記制御部材４が、円筒状で、ケーシング体２内に嵌設され、先端４１と裏端４２があり、上記制御部材４の先端４１の内部に、板片４３が設置され、上記板片４３に、雌ネジ４３１１を有する結合穴４３１が形成され、上記結合穴４３１が、ケーシング体２の先端２１まで通して、引き手本体１の連接柱１３が螺着されることにより、引き手本体１と制御部材４とが結合され、上記制御部材４の裏端に、摺動的にケーシング体２のＬ形状の摺動槽２３に設置され、上へ向かう凸部４４があり、上記弾性部材５が、バネで、制御部材４と底カバー３との間に位置するように、ケーシング体２内にセットされ、制御部材４が、常に、弾性部材５によって、引き手本体１へ向かって附勢される。
【００１０】
これにより、図５のように、底カバー３の固定穴３１に、ボルトを螺着することにより、安全引き手全体が、戸板や引出しの前方板６の表面に固定され、それから、引き手本体１を、前方板６の方向へ押して回転させると、制御部材４で、底カバー３へ向かって弾性部材５を圧縮して、制御部材４の凸部４４が、Ｌ形状の摺動槽２３の径方向段２３２の軸方向段２３１から離れた一端に摺動して係止し、引き手本体１の平坦面端縁１２が、前方板６に貼り付いて、安全状態になる。
【００１１】
本考案によれば、図６乃至図９のように、引き手本体１を、前方板６の方向へ押して、逆方向に回転させると、制御部材４の凸部４４が、Ｌ形状の摺動槽２３の径方向段２３２の軸方向段２３１の近い一端に摺動し、そして、引き手本体１を離すと、弾性部材５の弾力により、制御部材４が、引き手本体１とともに、前方へ所定の距離に弾き出され、これにより、制御部材４の凸部４４が、Ｌ形状の摺動槽２３の軸方向段２３１の先端に摺動して係止され、簡単に引き手本体１の端縁１２を持ちとって開くことができる。また、例えば、ただ、引き手本体１を直接に逆方向へ回転すれば、制御部材４の凸部４４が、Ｌ形状の摺動槽２３の径方向段２３２に対応する欠け口２３２１まで摺動すると、弾性部材５により、制御部材４が前方へ所定の距離に弾き出され、制御部材４の凸部４４が、Ｌ形状の摺動槽２３の径方向段２３２に対応する欠け口２３２１までに摺動して係止され、それにより、引き手本体１が、回転できなくなるように制限され、また、引き手本体１の端縁１２を持って開くことができなくなり、そのため、幼い子供が、誤って、引き手本体１を回転して開くことを防止でき、この時、引き手本体１を、前方板６の方向へ押して、制御部材４の凸部４４が、Ｌ形状の摺動槽２３の径方向段２３２の欠け口２３２１から脱離してから、回転させることができ、引き手本体１と制御部材４とが、弾性部材５により、前方へ所定の距離に弾き出されることにより、ユーザーが、引き手本体１の端縁１２を持って開くことができる。
【００１２】
また、図１０乃至図１４のように、本考案に係る安全引き手構造は、引き手本体１’とケーシング体２、底カバー３、制御部材４及び弾性部材５が備えられ、上記引き手本体１’は、短円柱状で、正面に、二つの引き回し凹部１１’が形成され、裏面に、雄ネジ１２１’を有する連接柱１２’が形成され、上記ケーシング体２は、円管状で、先端２１と裏端２２があり、周縁に、Ｌ形状の摺動槽２３が形成され、上記Ｌ形状の摺動槽２３は、軸方向段２３１と径方向段２３２を有し、上記底カバー３が、封止するように、ケーシング体２の裏端に結合されるか一体成型され、上記底カバー３に、雌ネジ３１１を有する固定穴３１が形成され、上記制御部材４は、円筒状で、ケーシング体２内に嵌設され、先端４１と裏端４２を有し、上記制御部材４の先端４１の内部に、板片４３がセットされ、上記板片４３に、雌ネジ４３１１を有する結合穴４３１が形成され、上記結合穴４３１を、ケーシング体２の先端２１まで通させて、引き手本体１の連接柱１２’が螺着されることにより、引き手本体１’と制御部材４とが結合され、上記制御部材４の裏端に、摺動的に、ケーシング体２のＬ形状の摺動槽２３に、上へ向かう凸部４４が形成され、上記弾性部材５は、バネで、ケーシング体２内において、制御部材４と底カバー３との間に位置するように設置され、これにより、制御部材４が、常に、弾性部材５により、引き手本体１の方向へ附勢される。
【００１３】
これにより、図１５のように、底カバー３の固定穴３１を利用して、ボルトに合わせて、安全引き手全体が、戸板や引出しの前方板６に予めに形成された実装槽６１に固定され、また、上記前方板６において、上記実装槽６１に対応する位置に、嵌合槽６２が形成され、使用するとき、引き手本体１’を前方板６の方向へ押して回転させると、制御部材４が、底カバー３の方向へ弾性部材５を圧縮し、制御部材４の凸部４４が、Ｌ形状の摺動槽２３の径方向段２３２の軸方向段２３１から離れた一端に摺動して係止され、引き手本体１’が、戸板や引出しの前方板６にある嵌合槽６２内に嵌入し、戸板と引出しの前方板６の表面と一致し、そのため、安全状態になる。
【００１４】
本考案によれば、図１６と図17のように、引き手本体１’を、前方板６の方向へ押して、二つの引き回し凹部１１’を逆方向に回転させると、制御部材４の凸部４４が、Ｌ形状の摺動槽２３の径方向段２３２の軸方向段２３１の近い一端に摺動してから、引き手本体１’を離すと、弾性部材５の弾力により、制御部材４が、引き手本体１’とともに、前方へ所定の距離に弾き出され、制御部材４の凸部４４が、Ｌ形状の摺動槽２３の軸方向段２３１の先端まで、摺動して所定の位置に係止され、引き手本体１’が、嵌合槽６２から脱離し、この時、便利的に引き手本体１’の周縁を持って開くことができる。
【００１５】
上記の具体的な実施例によれば、次の利点が得られ、１、本考案に係る安全引き手構造は、常に、引き手本体１、１’が、戸板や引出しの前方板６の表面に貼り付くか嵌入することにより、安全状態になって、幼い子供が、好奇心により、箪笥や引出しを開くことを防止でき、より良い使用安全性が得られ、それにより、幼い子供が、傷つくことや、箪笥や引出し内に収納された品物が、乱されることを防止でき、２、本考案に係る安全引き手構造は、引き手本体１、１’が、常に、戸板や引出しの前方板６の表面に貼り付くか嵌入するため、人の移動に邪魔することやものを引っ掛かることを防止でき、また、簡単に、引き手本体１を、前方へ所定の距離に弾き出し、便利に、上記引き手本体１、１’で、開く操作ができ、より良い実用性が実現される。
【００１６】
そのため、本考案は、より進歩的かつより実用的で、法に従って実用新案登録請求を出願する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１８】
【図１】本考案の立体分解図
【図２】本考案の他の立体分解図
【図３】本考案の立体図
【図４】本考案の断面図
【図５】本考案の安全状態になる時の作動概念図
【図６】本考案の操作状態になって、押して回転させる時の概念図
【図７】本考案の操作状態になって、直接に回転させる時の概念図
【図８】本考案の二段式操作の作動概念図
【図９】本考案の引き手本体が、前方へ弾き出す時の作動概念図
【図１０】本考案の他の実施例の立体分解図
【図１１】本考案の更に他の実施例の立体分解図
【図１２】本考案の更に他の実施例の立体図
【図１３】本考案の更に他の実施例の立体図
【図１４】本考案の更に他の実施例の断面図
【図１５】本考案の更に他の実施例の安全状態に切り替えた時の作動概念図
【図１６】本考案の更に他の実施例の操作状態に切り替えた時の回転概念図
【図１７】本考案の更に他の実施例の引き手本体が、前方へ弾き出す時の作動概念図
【符号の説明】
【００１９】
１  引き手本体
１Ａ  外側面
１Ｂ  内側面
１１  取持ち不能面
１２  端縁
１３  連接柱
１３１  雄ネジ
１’  引き手本体
１Ａ’  外側面  １Ｂ’  内側面
１１’  引き回し凹部
１２’  連接柱
１２１’  雄ネジ
２  ケーシング体
２１  先端
２２  裏端
２３  摺動槽
２３１  軸方向段
２３２  径方向段
２３２１  欠け口
３  底カバー
３１  固定穴
３１１  雌ネジ
４  制御部材
４１  先端
４２  裏端
４３  板片
４３１  結合穴
４３１１  雌ネジ
４４  凸部
５  弾性部材
６  前方板
６１  実装槽
６２  嵌合槽
【図１】
0003185133.tif 000003
【図２】
0003185133.tif 000004
【図３】
0003185133.tif 000005
【図４】
0003185133.tif 000006
【図５】
0003185133.tif 000007
【図６】
0003185133.tif 000008
【図７】
0003185133.tif 000009
【図８】
0003185133.tif 000010
【図９】
0003185133.tif 000011
【図１０】
0003185133.tif 000012
【図１１】
0003185133.tif 000013
【図１２】
0003185133.tif 000014
【図１３】
0003185133.tif 000015
【図１４】
0003185133.tif 000016
【図１５】
0003185133.tif 000017
【図１６】
0003185133.tif 000018
【図１７】
0003185133.tif 000019